(57)【要約】【課題】電源投入時の警報器の状態をユーザが適切に把握できるようにすることが可能な警報器を提供する。【解決手段】この警報器１００は、異常検知を行う検知部１と、報知音を出力するスピーカ２１を有する報知部２と、を含む警報器本体１０と、警報器本体１０の電源投入時に、警報器本体１０に初期動作を実施させる制御を行うとともに、初期動作の実施に関連する初期動作メッセージ４１を報知部２に出力させる制御を行う制御部４と、を備える。【選択図】図２
2020087402.tif 000002
【特許請求の範囲】
【請求項１】
異常検知を行う検知部と、報知音を出力するスピーカを有する報知部と、を含む警報器本体と、
前記警報器本体の電源投入時に、前記警報器本体に初期動作を実施させる制御を行うとともに、前記警報器本体の電源投入後、第１時間経過後に、前記初期動作の実施に関連する第１音声メッセージを前記報知部に出力させる制御を行い、前記警報器本体の電源投入後、前記第１時間よりも長い第２時間経過後に、点検結果を示す第２音声メッセージを前記報知部に出力させる制御を行う制御部と、を備えた、警報器。
【請求項２】
前記報知部は、点灯または点滅により報知を行うランプをさらに含み、
前記制御部は、電源投入後、前記第２時間の間、前記ランプによる報知を実施させ、かつ、電源投入後、前記第１時間経過した後に、前記第１音声メッセージを出力させる制御を行う、請求項１に記載の警報器。
【請求項３】
前記制御部は、前記点検結果が正常である場合に、前記検知部による監視動作を行う旨の第３音声メッセージをさらに出力させる制御を行う、請求項１または２に記載の警報器。
【請求項４】
前記警報器本体は、操作入力を受け付ける操作部をさらに含み、
前記制御部は、前記初期動作の終了後、前記操作部への入力に応じて前記警報器本体の点検動作を行うとともに、前記初期動作における点検動作と同じ音声メッセージの出力制御を行う、請求項３に記載の警報器。
【請求項５】
前記制御部は、前記警報器本体の点検動作を行った場合に、前記警報器本体の有効期限の残り期間に関する第４音声メッセージを出力させる制御を行う、請求項３または４に記載の警報器。
【発明の詳細な説明】
【技術分野】
【０００１】
この発明は、警報器に関し、特に、音声メッセージを出力する警報器に関する。
【背景技術】
【０００２】
従来、音声メッセージを出力する警報器が知られている（たとえば、特許文献１参照）。
【０００３】
上記特許文献１には、自動定期点検を行う場合に、「これから警報音の自動点検を行います」との通知音を出力する警報器が開示されている。上記特許文献１の警報器は、電源投入後３０日の定期点検の期間が経過すると、上記の通知音を出力した後、警報時に出力される音声警報を出力することにより、警報器が正常に警報出力を行うことができるか否かの定期点検の動作を行うように構成されている。
【先行技術文献】
【特許文献】
【０００４】
【特許文献１】特許第５２３４６５７号公報
【発明の概要】
【発明が解決しようとする課題】
【０００５】
しかしながら、上記特許文献１に記載の警報器では、定期点検を開始する際にその旨の通知音を出力するだけであり、定期点検以外の状況において警報以外の警報器の動作をユーザに通知できるものではない。
【０００６】
警報以外で警報器が機能上必要な動作を行う場合、一般的には、報知音の出力は行わずに、警報器に設けられた報知用のランプの点灯または点滅によって、動作中であることを通知する。しかし、警報以外で警報器のランプが点滅している状況は、ユーザによっては、警報器の故障の可能性を疑う場合もある。このようなケースは、特にユーザの注意が警報器に向きやすい電源投入時に多く、電源投入時の警報器の状態をユーザが適切に把握できるようにすることが望まれる。
【０００７】
特に、一般家庭用のガス警報器などでは、ユーザが取扱説明書などから警報器の仕様を把握している可能性が高くないことから、ユーザを煩わせることなく適切に警報器を運用できることが望まれ、そのためにはユーザが警報器の状態を適切に把握できることが重要である。
【０００８】
この発明は、上記のような課題を解決するためになされたものであり、この発明の１つの目的は、電源投入時の警報器の状態をユーザが適切に把握できるようにすることが可能な警報器を提供することである。
【課題を解決するための手段】
【０００９】
この発明の一の局面による警報器は、異常検知を行う検知部と、報知音を出力するスピーカを有する報知部と、を含む警報器本体と、警報器本体の電源投入時に、警報器本体に初期動作を実施させる制御を行うとともに、警報器本体の電源投入後、第１時間経過後に、初期動作の実施に関連する第１音声メッセージを報知部に出力させる制御を行い、警報器本体の電源投入後、第１時間よりも長い第２時間経過後に、点検結果を示す第２音声メッセージを報知部に出力させる制御を行う制御部と、を備えた。
【００１０】
なお、本明細書において、「初期動作の実施に関連する第１音声メッセージ」は、初期動作を実施することを直接的に通知するメッセージのみならず、初期動作を実施することを間接的に示唆するメッセージや、初期動作に関連した何らかの情報を通知するメッセージを含む広い概念である。また、「音声メッセージ」は、ユーザに対する報知音のうち、言語を発音することによりユーザに情報を伝達するものであり、「報知音」は、音声メッセージのみならず、ブザー音など、ユーザに報知するために出力される音全般を指す。
【００１１】
この発明の一の局面による警報器では、上記の構成によって、電源投入時に初期動作を実施すると、初期動作の実施に関連する第１音声メッセージが出力されるので、ユーザは、少なくとも警報器が初期動作中にあることを把握することができる。そのため、たとえば初期動作中に何らの音声出力もなしでランプ点滅などにより警報器の状態を報知する場合と異なり、警報器が必要な動作を正常に実行していることが、第１音声メッセージによって把握できる。これにより、電源投入時の警報器の状態をユーザが適切に把握できるようにすることができる。
【００１２】
上記一の局面による警報器において、好ましくは、報知部は、点灯または点滅により報知を行うランプをさらに含み、制御部は、電源投入後、第２時間の間、ランプによる報知を実施させ、かつ、電源投入後、第１時間経過した後に、第１音声メッセージを出力させる制御を行う。このように構成すれば、初期動作について、ランプによる報知開始後で、第２時間経過後に第１音声メッセージをユーザに報知することができる。すなわち、電源投入直後にいきなり音声メッセージが出力されるとユーザを驚かせてしまう可能性があるのに対して、まずランプによってユーザの注意を喚起した上で、第１音声メッセージを伝えることができる。その結果、ユーザの予想外の動作を行うことなく、電源投入時の警報器の状態をユーザに把握させることができる。
【００１３】
上記一の局面による警報器において、好ましくは、制御部は、点検結果が正常である場合に、検知部による監視動作を行う旨の第３音声メッセージをさらに出力させる制御を行う。このように構成すれば、点検結果を通知するだけでなく、これから警報器が監視動作を行うことを第３音声メッセージによって通知できる。すなわち、電源投入時に第１音声メッセージを出力した後、点検結果（第２音声メッセージ）を通知するだけでは、ユーザは、警報器に監視動作を行わせるために何らかの操作が必要かどうかを把握することができない。そこで、点検結果が正常である場合に第３音声メッセージを出力することによって、ユーザに、警報器が通常の監視動作を開始したことを把握させることができるので、より適切に、警報器の状態をユーザに把握させることができる。
【００１４】
この場合、好ましくは、警報器本体は、操作入力を受け付ける操作部をさらに含み、制御部は、初期動作の終了後、操作部への入力に応じて警報器本体の点検動作を行うとともに、初期動作における点検動作と同じ音声メッセージの出力制御を行う。このように構成すれば、初期動作時に加えて、ユーザが自発的に点検動作を実施させた場合にも、初期動作と同様の第２音声メッセージおよび（正常な場合の）第３音声メッセージを出力することができる。初期動作における点検時と同じ音声メッセージが出力されることで、ユーザは警報器の状態を誤解無く把握できる。また、音声メッセージのパターンを不必要に増大させることが抑制できるので、警報器における音声メッセージの記憶容量が増大するのを抑制できる。
【００１５】
上記点検動作を行う構成において、好ましくは、制御部は、警報器本体の点検動作を行った場合に、警報器本体の有効期限の残り期間に関する第４音声メッセージを出力させる制御を行う。ここで、たとえば日本では、一般家庭用のガス警報器について、５年間の有効期限が定められ、有効期限が経過した警報器は交換される。そこで、上記のように構成すれば、点検動作を行った場合に出力される第４音声メッセージによって、ユーザが、警報器の交換時期までの残り期間を把握することができるので、有効期限に関する警報器の状態についても、ユーザに適切に把握させることができる。
【発明の効果】
【００１６】
本発明によれば、上記のように、電源投入時の警報器の状態をユーザが適切に把握できるようにすることができる。
【図面の簡単な説明】
【００１７】
【図１】一実施形態による警報器を示した斜視図である。
【図２】一実施形態による警報器の構成を示したブロック図である。
【図３】警報器の初期動作を説明するための図である。
【図４】検知部の検知結果に基づく監視動作を説明するための図である。
【図５】報知条件を説明するための図である。
【図６】初期動作における処理を示したフロー図である。
【図７】報知音の一時停止に関わる処理を示したフロー図である。
【発明を実施するための形態】
【００１８】
以下、本発明の実施形態を図面に基づいて説明する。
【００１９】
まず、図１および図２を参照して、一実施形態による警報器１００の構成について説明する。
【００２０】
（警報器の全体構成）
図１に示す警報器１００は、ガス漏れをユーザに対して報知するガス警報器である。警報器１００は、たとえば屋内に設置され、設置環境に存在する検知対象ガスを検知する。警報器１００は、たとえば、都市ガスまたはＬＰガスである燃料ガスのガス漏れを報知できる。警報器１００は、たとえば、一酸化炭素ガス（ＣＯガス）のガス漏れを報知できる。警報器１００は、たとえば家庭用ガス警報器であるが、業務用、または家庭用と業務用との兼用として構成されうる。図１に示す警報器１００は、屋内の壁面に取り付けられる壁掛けタイプの警報器の例を示している。警報器１００は、屋内の天井に取り付けられる天井取付タイプでもよい。
【００２１】
警報器１００は、検知部１と、報知部２と、操作部３と、制御部４（図２参照）とを備える。図１および図２の例では、警報器１００は、検知部１と、報知部２と、操作部３と、制御部４とが筐体に組み込まれた警報器本体１０を備えている。
【００２２】
検知部１は、設置環境における異常検知を行う。具体的には、検知部１は、ガスおよび火災の少なくとも一方を検知するように構成されている。ガスおよび火災の異常検知は、ガス漏れ、および火災に伴い発生する熱（温度）または煙を検知することである。検知部１は、さらに、ガスおよび火災以外を検知対象としてもよい。
【００２３】
図２に示す例では、検知部１は、燃料ガス（都市ガスまたはＬＰガス）と、一酸化炭素ガスとを検知するように構成されている。具体的には、検知部１は、燃料ガス（都市ガスまたはＬＰガス）を検知するガスセンサ１１（図２参照）と、ＣＯガスを検知するＣＯセンサ１２（図２参照）とを含む。センサの構造および検出原理は、特に限定されない。一例として、ガスセンサ１１およびＣＯセンサ１２は、半導体式ガス検知素子により構成されており、具体的には熱線型半導体式ガスセンサにより構成されうる。熱線型半導体式ガスセンサは、電流供給により所定温度（数百℃）に加熱された素子表面に検知対象ガスが吸着すると電気伝導度が変化することを利用して、検知対象ガス濃度を検出するように構成されている。ガスセンサ１１は、検知対象ガスとしての燃料ガスに含まれるメタンを検出する。ＣＯセンサ１２は、不完全燃焼などに伴って発生するＣＯガスを検知対象ガスとして検出する。警報器本体１０には、周囲のガスを筐体内の検知部１に接触させるための開口部１０ａ（図１参照）が形成されている。
【００２４】
報知部２は、少なくとも、報知音により報知を行うように構成されている。つまり、報知部２は、報知音を出力するスピーカ２１を有する。本実施形態では、報知部２は、スピーカ２１に加えて、点灯または点滅により報知を行うランプ２２を有する。また、報知部２は、報知信号を外部出力する信号出力部２３を有する。
【００２５】
スピーカ２１は、制御部４に制御されることにより、所定の報知音を出力する。スピーカ２１は、制御部４に制御されることにより、所定の音声メッセージを出力する。警報器本体１０には、スピーカ２１の音を外部に拡散させるための開口部１０ｂ（図１参照）が形成されている。
【００２６】
ランプ２２は、制御部４に制御されることにより、所定の色の光を発生するように構成されている。ランプ２２は、たとえばＬＥＤ光源により構成される。ランプ２２は、１つまたは複数設けられるが、図１の例では、警報器本体１０に３つのランプ２２が設けられている。３つのランプ２２は、それぞれ異なる色（たとえば、赤色、黄色、緑色）の光を発生させる。一例として、赤色のランプ２２は、燃料ガス（ガスセンサ１１）に関する報知を行い、黄色のランプ２２は、ＣＯガス（ＣＯセンサ１２）に関する報知を行い、緑色のランプ２２は、検知ガス以外の電源、故障、その他の警報器１００の動作などに関する報知を行う。信号出力部２３は、警報器１００が外部機器（他の保安機器）と接続されている場合に報知を外部出力信号として外部出力するためのインターフェース部（出力端子）により構成される。
【００２７】
操作部３は、警報器１００に対する操作入力を受け付けるように構成されている。操作部３の構造は、特に限定されず、押しボタン式、レバー式、ロータリー式などの各種スイッチや、タッチセンサなどであり得る。図１では、操作部３は、警報器本体１０に設けられた押しボタン式のスイッチにより構成されている。警報器本体１０には、１つの操作部３が設けられている。操作部３は、入力操作（押圧操作）を受け付けて入力信号を制御部４へ出力する。警報器本体１０は、複数の操作部３を含んでいてもよい。
【００２８】
図２に示すように、制御部４は、警報器１００が備える各部の制御処理を行う。制御部４は、ＣＰＵまたはマイコンなどのプロセッサ（演算処理装置）を含んで構成される。制御部４は、検知部１に含まれる各センサの信号を検知部１の検知結果として取得する。制御部４は、検知部１の検知結果に基づく報知を行う。すなわち、制御部４は、検知部１の検知結果が、予め設定された報知条件を満たす場合に、報知部２に報知させる制御を行う。報知部２による報知は、スピーカ２１による報知音の出力、ランプ２２の点灯または点滅、信号出力部２３による信号出力、を含む。報知音の出力には、音声メッセージの出力と、ブザー音などの音声以外の報知音の出力とが含まれる。制御部４は、経過時間を計測する計時機能を備える。
【００２９】
また、警報器１００は、記憶部５および電源部６を備えている。記憶部５は、検知結果に対する検知対象ガス毎の報知条件のデータ、報知部２により出力される音声メッセージのデータなどの、制御部４の制御処理に必要な情報を記憶する。また、記憶部５は、不揮発性メモリなどを含み、警報器１００の動作に伴い発生した各種情報を書き換え可能に記憶するように構成されている。電源部６は、制御部４、報知部２、検知部１および記憶部５の動作に必要な電力を供給する。電源部６は、電池式および外部電源式のいずれかまたは両方でありうる。本実施形態では、電源部６は、外部電源式であり、屋内の電源ソケットに接続される電源プラグを介して外部電源からの電力供給を受ける。
【００３０】
（制御部の詳細な構成）
制御部４は、警報器１００の動作および状態に関する情報を、報知部２から音声メッセージを出力させることによりユーザに報知させる制御を行うように構成されている。音声メッセージにより報知が行われる警報器１００の動作および状態としては、警報器１００の初期動作の報知、警報出力および警報の一時停止の報知、警報器１００の点検結果の報知、設置環境における監視動作の開始の報知、過去の警報出力の履歴報知、警報器１００の異常発生時の報知、警報器１００の有効期限に関する報知、などを含む。
【００３１】
（初期動作）
図３に示すように、制御部４は、警報器本体１０の電源投入時に、警報器本体１０に初期動作を実施させる制御を行うとともに、初期動作の実施に関連する初期動作メッセージ４１を報知部２に出力させる制御を行うように構成されている。図３は、電源投入時からの時間経過に伴う警報器１００の動作の流れを示しており、横軸が時間を示している。電源投入時は、たとえば、電源部６の電源プラグが外部電源に接続された時であるが、警報器本体１０に電源スイッチが設けられている場合には、電源スイッチにより電源が入力されたときである。初期動作メッセージ４１は、特許請求の範囲の「第１音声メッセージ」の一例である。
【００３２】
制御部４は、警報器本体１０の電源投入時から、第１時間ｔ１の間、初期動作を実施する。第１時間ｔ１は、特に限定されないが、たとえば３０秒である。なお、第１時間ｔ１は、特許請求の範囲の「第２時間」の一例である。
【００３３】
警報器本体１０の初期動作は、警報器１００が通常の監視動作（検知部１の検知結果に基づいて設置環境が警報出力を行う報知条件を満たしたか否かを監視する動作）を開始するために実施される動作である。具体的には、初期動作は、検知部１の各センサの出力を安定化させるための通電動作を含む。ガスセンサ１１およびＣＯセンサ１２は、電流供給により所定温度（数百℃）に加熱されるため、電源投入直後、センサの出力信号が安定するまでの間に過渡状態が存在する。制御部４は、第１時間ｔ１の間、初期動作として各センサに通電を行ってセンサの出力信号を安定させる。制御部４は、第１時間ｔ１の間は、検知部１の検知結果に基づく報知は行わないように制御する。
【００３４】
また、警報器本体１０の初期動作は、警報器本体１０の点検動作を含む。制御部４は、電流および電圧を確認することにより、検知部１（ガスセンサ１１およびＣＯセンサ１２）の異常、温度サーミスタ（図示せず）の異常、報知部２（スピーカ２１、ランプ２２および信号出力部２３）の異常、操作部３の異常を点検する。また、制御部４は、記憶部５にアクセスして記憶部５のデータエラーの有無を点検する。
【００３５】
本実施形態の警報器１００では、初期動作時に、最初にランプ２２による報知を実施した後で、スピーカ２１から初期動作メッセージ４１が出力される。すなわち、制御部４は、電源投入後、第１時間ｔ１の間、ランプ２２による報知を実施させ、かつ、電源投入後、第１時間ｔ１よりも短い第２時間ｔ２経過した後に、初期動作メッセージ４１を出力させる制御を行う。なお、第２時間ｔ２は、特許請求の範囲の「第１時間」の一例である。
【００３６】
ランプ２２による報知の例として、制御部４は、緑色のランプ２２を点滅させる。第２時間ｔ２は、ランプ２２による報知がユーザに認識できる時間であればよく、第１時間ｔ１よりも十分に短い時間とすることができる。第２時間ｔ２は、たとえば１秒または２秒程度とすることができ、第１時間ｔ１（３０秒）の半分よりも短い。
【００３７】
初期動作メッセージ４１は、初期動作の実施に関連する情報を含む。初期動作メッセージ４１は、電源投入時に警報器１００が何らかの動作を行っていることをユーザに伝達できればよく、必ずしも、初期動作を実施していること自体を通知する必要はない。一例として、初期動作メッセージ４１は、「緑ランプの点滅が終わるまで、しばらくお待ち下さい」というメッセージである。
【００３８】
本実施形態では、制御部４は、電源投入後、第１時間ｔ１の経過時に、点検動作に基づく点検結果を音声メッセージにより報知させる。具体的には、制御部４は、点検結果を示す点検結果メッセージ４２を報知部２に出力させるとともに、点検結果が正常である場合に、検知部１による監視動作を行う旨の監視実行メッセージ４３をさらに出力させる制御を行う。点検結果メッセージ４２は、特許請求の範囲の「第２音声メッセージ」の一例である。監視実行メッセージ４３は、特許請求の範囲の「第３音声メッセージ」の一例である。
【００３９】
点検結果としては、たとえば「正常」、「故障」、「有効期限切れ」の３パターンを含みうる。この場合、点検結果を示す点検結果メッセージ４２は３種類が用意される。点検結果メッセージ４２の例としては、以下の通りである。正常時：「警報器正常です」、故障時：「故障です。販売店に連絡して下さい」、有効期限切れ：「取り付け後、５年経過しています」。
【００４０】
そして、点検結果が正常である場合には、制御部４は、点検結果メッセージ４２に加えて、さらに監視実行メッセージ４３を報知部２に出力させる。監視実行メッセージ４３は、たとえば「暮らしの安全を見守ります」というメッセージを含む。したがって、点検結果が正常である場合には、「警報器正常です。暮らしの安全を見守ります」という音声メッセージが出力される。これにより、制御部４は、機器が正常に動作しており、通常の監視動作を開始することを音声メッセージの形式でユーザに通知する。
【００４１】
なお、制御部４は、初期動作の終了後（第１時間ｔ１の経過後）、操作部３への入力に応じて警報器本体１０の点検動作を行う。操作部３への入力は、押しボタン式の操作部３に対する押圧操作である。入力操作には、入力（押圧）を所定時間（たとえば１秒）以内に行う短押し操作と、短押し操作よりも長い所定時間（たとえば３秒）以上入力を継続する長押し操作とがある。
【００４２】
制御部４は、初期動作の終了後、短押し操作が入力されると、各ランプ２２の点灯および消灯（点滅）と、初期動作と同様の点検動作とを行う。制御部４は、初期動作の終了後、長押し操作が入力されると、各ランプ２２の試験報知（点灯または点滅）と、各種警報出力時の報知音の試験出力とを行う試験動作の制御を実施する。なお、制御部４は、長押し操作が入力された際、所定時間（たとえば１０秒）の間継続して操作部３が入力された場合、ランプ２２の試験報知および報知音の試験出力を停止させて、試験動作をキャンセルする。
【００４３】
（点検動作）
本実施形態では、制御部４は、初期動作の終了後、操作部３への入力（短押し操作）に応じて警報器本体１０の点検動作を行うとともに、初期動作における点検動作と同じ音声メッセージの出力制御を行う。つまり、短押し操作に基づく点検動作においても、制御部４は、点検結果を示す点検結果メッセージ４２（３パターンのいずれか）を出力させ、点検結果が正常である場合には、監視実行メッセージ４３を追加出力させる制御を行う。
【００４４】
また、制御部４は、点検動作を行った場合に、警報器本体１０の有効期限の残り期間に関する残り期限メッセージ４４を出力させる制御を行う。制御部４は、電源投入状態の累計時間をカウントし、予め設定された有効期限（５年間）と累計時間とに基づいて、有効期限の残り期間を取得し、残り期限メッセージ４４として音声出力させる。出力される残り期限メッセージ４４は、たとえば「有効期限はあとＸ年Ｙヵ月です」というメッセージであり、変数ＸおよびＹに取得された残り期間が適用される。残り期限メッセージ４４は、特許請求の範囲の「第４音声メッセージ」の一例である。
【００４５】
また、制御部４は、点検動作を行った場合に、過去に実施した報知のうち最新の報知原因に関する報知履歴メッセージ４５を出力させる制御を行う。制御部４は、検知部１の検知結果に基づく報知を行った場合に、報知の実施履歴を記憶部５に記憶させる。報知の実施履歴には、報知原因がガス（ガスセンサ１１による検知）、ＣＯ（ＣＯセンサ１２の検知）、故障（点検結果）のいずれに該当するかを特定する情報が含まれる。そして、制御部４は、記憶部５に記憶された最新の報知原因に応じた報知履歴メッセージ４５を出力させる。報知履歴メッセージ４５の例としては、以下の通りである。ガス：「ガスの警報がありました」、ＣＯ：「ＣＯの警報がありました」、故障：「故障の警報がありました」。
【００４６】
なお、故障が発生している間、制御部４は、ランプ２２による故障を示す報知（たとえば、緑色のランプ２２の点滅）を継続して行うとともに、スピーカ２１による故障を示す報知音（「ピッピッピ、故障です」）の出力を定期的に（たとえば１分毎）に行う。
【００４７】
この状態で、短押し操作または長押し操作が入力された場合、制御部４は、「故障です、販売店に連絡して下さい、警報を止めます」という音声メッセージを出力させ、スピーカ２１による故障を示す報知音の出力を終了させる。故障報知の場合は、報知音の一時停止ではなく報知音出力の終了であり、一度操作入力が行われた場合、その後定期的な報知音出力は行われない。制御部４は、操作入力に応じて故障を示す報知音の出力を終了させた場合も、ランプ２２による故障を示す報知は継続させる。また、制御部４は、故障が発生している間は、操作入力に対しては、スピーカ２１による故障を示す報知を出力させるのみとする。制御部４は、定期的に復帰判定を行い、正常である場合には故障を示す報知を終了して、正常時の監視動作に復帰する。
【００４８】
そのため、上記の報知履歴メッセージ４５において故障の報知履歴を出力するケースは、過去に故障が発生して報知を行っており、かつ、現在は正常である場合になる。
【００４９】
（監視動作）
次に、検知部１の検知結果に基づく監視動作について説明する。制御部４は、警報器本体１０に初期動作後に、検知部１の検知結果に基づく監視動作を実施する。監視動作中、制御部４は、検知部１の検知結果が所定の報知条件を満たしたか否かを判断し、検知結果が報知条件を満たした場合に、報知部２に報知（警報出力）させる制御を行う。報知部２による報知は、ランプ２２の点灯または点滅と、報知音の出力とを含む。報知音は、所定のブザー音と、警報を示す音声メッセージとの少なくとも一方を含む。
【００５０】
図４は、報知を開始した時点からの時間経過に伴う警報器１００の動作の流れを示しており、横軸が時間を示している。第１実施形態では、制御部４は、検知部１の検知結果に基づく報知中に、操作部３に対する入力を受け付けると、報知停止期間ＳＰに関する一時停止メッセージ５１を報知部２に出力（音声出力）させるとともに報知音を一時停止させる制御を行うように構成されている。
【００５１】
すなわち、本実施形態の警報器１００では、検知部１の検知結果に基づく報知中において、ユーザが操作部３を操作することにより、所定の報知停止期間ＳＰの間、報知音を一時停止することができ、一時停止する際に一時停止メッセージ５１が出力される。制御部４は、報知音の一時停止を行うと、一時停止の継続時間をカウント（計時）する。また、制御部４は、報知音の一時停止中も、ランプ２２による報知（点灯または点滅）は継続させるように構成されている。
【００５２】
一時停止メッセージ５１は、報知停止期間ＳＰに関する情報を含んでいれば、特に限定されない。本実施形態では、一時停止メッセージ５１は、報知停止期間ＳＰとして予め設定された時間の値を含む。すなわち、一時停止メッセージ５１は、どれだけの時間の間、報知音の停止を行うか、または、どれだけの時間経過後に報知停止を解除するか、の時間長さについてのメッセージを含む。たとえば、一時停止メッセージ５１は、「５分間警報を止めます」というメッセージである。この場合、報知停止期間ＳＰは、５分間である。このように、本実施形態の一時停止メッセージ５１は、報知音の出力を停止する旨（「警報を止めます」）、および、報知停止期間ＳＰの長さ（「５分間」）についての情報を含んでいる。
【００５３】
なお、本実施形態では、報知音を一時停止する際に一時停止メッセージ５１を出力する場合、その一時停止メッセージ５１を出力している間の時間が報知停止期間ＳＰに含まれる。すなわち、制御部４は、報知音の一時停止を行う場合に、報知音の出力に代えて一時停止メッセージ５１を報知部２に出力させ、一時停止メッセージ５１を出力している期間を、一時停止を行う報知停止期間ＳＰに算入する制御を行う。「報知音の出力に代えて」とは、「報知音の出力を停止させて」と言い換えてよい。このため、報知停止期間ＳＰは、現実に報知音の出力が停止している時間としてカウントされる。そして、報知停止期間ＳＰには、報知音以外の音声（一時停止メッセージ５１）が出力されている時間が含まれる。
【００５４】
報知停止期間ＳＰの間、検知部１の検知結果が継続して報知条件を満たす場合、制御部４は、報知停止期間ＳＰが経過した時点で報知音の出力を再開させる。この場合、制御部４は、報知音の出力再開後は操作部３への入力に対し報知音の出力を停止させずに出力を継続させる制御を行うように構成されている。つまり、警報器１００では、ユーザが報知音の出力を一時停止させた後、報知条件を満たした状態が継続することにより報知が再開された場合（図４の（Ａ）のケース）には、もう一度報知音を一時停止させること（再停止）はできない。このため、制御部４は、操作部３に対する入力に応じて報知音の一時停止を行った場合（一時停止メッセージ５１を出力した場合）に、一時停止受付情報を記憶部５に記憶する。一時停止受付情報は、一時停止の操作の受付回数の情報と言い換えることができる。
【００５５】
制御部４は、一時停止後に報知音の出力を再開した場合には操作部３に対する入力を再度行っても報知を停止させない旨の報知再開メッセージ５２を報知部２に出力させる制御を行う。報知再開メッセージ５２により、ユーザは、初回の一時停止と同じ操作を行っても報知音を止められないことを把握できる。
【００５６】
報知再開メッセージ５２は、報知音の出力を一時停止させる際（一時停止メッセージ５１を出力する際）に出力させてもよいし、一時停止後の報知音の出力再開時に出力させてもよい。本実施形態では、制御部４は、報知停止期間ＳＰの経過後の報知音の出力再開時に、報知再開メッセージ５２を出力させる制御を行うように構成されている。
【００５７】
報知再開メッセージ５２は、たとえば、「警報を再開します、次は警報を止められません」というメッセージである。このように、本実施形態の報知再開メッセージ５２は、報知音の出力を再開すること（「警報を再開します」）、および、操作部３に対する入力を再度行っても報知を停止させないこと（「次は警報を止められません」）についての情報を含んでいる。
【００５８】
報知音の出力再開後に操作部３への入力が行われた場合、制御部４は、報知音を止められない旨の停止不可メッセージ５３を音声出力して、報知音の出力を継続させる。停止不可メッセージ５３は、たとえば、「警報を止められません」というメッセージである。
【００５９】
なお、報知停止期間ＳＰの間にガス濃度が低下して報知条件を満たさなくなった場合（図４の（Ｂ）のケース）には、報知停止期間ＳＰの経過後に報知音の出力が再開されず、報知再開メッセージ５２も出力されない。この場合、次に報知条件を満たす事象が発生した場合には、制御部４は、操作部３に対する入力に基づく一時停止を受け付けることができる。すなわち、制御部４は、報知停止期間ＳＰ中に、検知部１の検知結果が報知条件を満たさなくなった場合には、操作部３に対する入力に基づく一時停止の受け付け回数をリセットするように構成されている。具体的には、制御部４は、検知部１の検知結果が報知条件を満たさなくなった時点で、記憶部５に記憶させた一時停止受付情報をクリアする（情報を消去する）ことにより、受け付け回数をリセットする。これにより、次に報知条件を満たす事象が発生した場合（図４の２点鎖線参照）に、ユーザが操作入力を行えば、報知音の一時停止および一時停止メッセージ５１の出力が行われる。
【００６０】
（報知条件）
次に、図５を参照して、報知条件の詳細について説明する。報知条件は、検知対象ガス毎に設定されうる。すなわち、燃料ガスとＣＯガスとの各々について、異なる報知条件が設定されている。また、報知条件は、検出対象ガスの濃度に応じて複数段階の条件を含みうる。本実施形態では、報知条件は、相対的に高濃度である警報レベルの第１条件Ｃ１と、第１条件Ｃ１よりも検出ガス濃度が低い注意レベルの第２条件Ｃ２とを含む。制御部４は、各検知対象ガスについて、第１条件Ｃ１に該当する場合と、第２条件に該当する場合とで、異なる報知動作を報知部２に実施させるように構成されている。なお、第１条件に該当するとは、検出ガス濃度が第２条件の上限濃度を越えて、かつ第１条件の上限濃度以下となる場合である。第２条件に該当するとは、検出ガス濃度が第２条件の下限濃度を越えて、かつ第２条件の上限濃度以下となる場合である。また、制御部４は、特定のガス種の特定の報知条件に該当する場合には、上記の報知音の一時停止および一時停止メッセージ５１の出力の制御を無効とするように構成されている。
【００６１】
〈燃料ガス（都市ガス、ＬＰガス）〉
燃料ガス（都市ガス、ＬＰガス）については、ガスセンサ１１の検知結果に基づくガス濃度に応じて、警報レベルの第１条件Ｃ１ａと、注意レベルの第２条件Ｃ２ａとが記憶部５に設定されている。制御部４は、燃料ガスの検知結果（検出ガス濃度）が第１条件Ｃ１ａに該当する場合には、赤色のランプ２２の点灯（継続点灯）による報知、スピーカ２１からの報知音の出力による報知をそれぞれ行う。そして、制御部４は、燃料ガス（都市ガスまたはＬＰガス）の検知結果が第１条件Ｃ１ａに該当する場合には、操作部３に対する入力に応じて一時停止メッセージ５１の出力および報知音の一時停止の制御を行う。
【００６２】
一方、制御部４は、燃料ガスの検知結果が第２条件Ｃ２ａに該当する場合には、赤色のランプ２２の点滅による報知を行い、報知音の出力は行わない。報知音が出力されないので、一時停止メッセージ５１の出力および報知音の一時停止は行われない。
【００６３】
〈ＣＯガス〉
ＣＯガスについては、ＣＯセンサ１２の検知結果に基づくガス濃度に応じて、警報レベルの第１条件Ｃ１ｂと、注意レベルの第２条件Ｃ２ｂとが記憶部５に設定されている。制御部４は、ＣＯガスの検知結果が第１条件Ｃ１ｂに該当する場合には、黄色のランプ２２の点灯（継続点灯）による報知、スピーカ２１からの報知音の出力による報知をそれぞれ行う。そして、制御部４は、ＣＯガスの検知結果が第１条件Ｃ１ｂに該当する場合には、操作部３に対する入力を受け付けても報知音を停止させずに出力を継続させる制御を行うように構成されている。つまり、制御部４は、（ガス種：ＣＯガス、報知条件：第１条件Ｃ１ｂ）に該当する場合、上記の報知音の一時停止および一時停止メッセージ５１の出力を行う制御を無効とする。
【００６４】
一方、制御部４は、ＣＯガスの検知結果が第２条件Ｃ２ｂに該当する場合には、黄色のランプ２２の点滅による報知、スピーカ２１からの報知音の出力による報知をそれぞれ行う。そして、制御部４は、ＣＯガスの検知結果が第２条件Ｃ２ｂに該当する場合には、操作部３に対する入力に応じて一時停止メッセージ５１の出力および報知音の一時停止の制御を行うように構成されている。
【００６５】
（その他の音声メッセージ出力機能）
次に、その他の音声メッセージ出力機能について説明する。警報器１００は、検知部１の検知結果に基づく報知音の切り替え機能を有する。制御部４は、所定の操作を受け付けることにより、報知音設定モードに移行する。
【００６６】
報知音設定モードに移行すると、制御部４は、報知音設定モードに移行したことを示す情報、設定方法に関する情報、現在の設定情報、を含む音声メッセージを出力する。具体的には、制御部４は、モード移行時に、「警報音を変更します。スイッチを押して選んで下さい。現在の設定は日本語です」という音声メッセージを出力する。
【００６７】
報知音設定モード中、制御部４は、操作部３への入力操作（押圧操作）を受け付けるたびに、報知音を切り替えて報知部２に出力させる。報知音の種類は、特に限定されないが、一例として、日本語の音声メッセージ、英語の音声メッセージ、中国語の音声メッセージ、音声メッセージを含まないブザー音のみの報知音、の４種類が選択可能とされる。たとえば、制御部４は、入力操作を受け付ける度に、「日本語です」、「ブザーです」、「英語です」、「中国語です」という報知音の種類を示す音声メッセージを出力させる。選択したい報知音の種類を示す音声メッセージが出力された状態で、ユーザが所定の操作（たとえば、操作部３を長押し操作）することにより、制御部４は、報知音の種類の選択を確定させ、記憶部５に設定する。
【００６８】
報知音設定モードによって報知音の種類が設定されると、制御部４は、設定された種類の報知音によって、検知部１の検知結果に基づく報知音（警報、注意）を出力する。それぞれの報知音は、一例（燃料ガスの警報レベル）を示すと、たとえば以下の通りである。
日本語：「ウーウー、ピッピッピッピ、ガスが漏れていませんか」
ブザー音：「ウーウー、ピッピッピッピ」
英語：「ウーウー、ピッピッピッピ、（英語で「ガスが漏れていませんか」）」
中国語：「ウーウー、ピッピッピッピ、（中国語で「ガスが漏れていませんか」）」
なお、「ウーウー」、「ピッピッピッピ」などは、便宜上、ブザー音を擬音語で示したものである。
【００６９】
（初期動作および点検動作の制御処理）
次に、図６を参照して、制御部４による、警報器１００の初期動作時の制御処理について説明する。
【００７０】
まず、警報器本体１０の電源が投入されると、ステップＳ１において、制御部４は、初期動作を開始するとともに、ランプ２２による報知を開始する。制御部４は、電源投入からの経過時間をカウントする。ステップＳ２において、制御部４は、電源投入から第２時間ｔ２が経過したか否かを判断し、第２時間ｔ２が経過すると、ステップＳ３において初期動作メッセージ４１を報知部２に出力させる。制御部４は、第２時間ｔ２が経過するまではステップＳ２の判断を繰り返す。
【００７１】
ステップＳ４において、電源投入から第１時間ｔ１が経過したか否かを判断し、第１時間ｔ１が経過するまではステップＳ４の判断を繰り返す。第１時間ｔ１が経過した場合、制御部４は、処理をステップＳ５に進め、点検結果（「正常」、「故障」、「有効期限切れ」）に応じた点検結果メッセージ４２を報知部２に出力させる。制御部４は、ステップＳ６において、点検結果が「正常」であるか否かを判断し、点検結果が「正常」である場合には、ステップＳ７において監視実行メッセージ４３を報知部２に出力させ、その後処理を終了する。ステップＳ６において、制御部４は、点検結果が「正常」でない場合には、監視実行メッセージ４３を出力させることなく処理を終了する。
【００７２】
以上のようにして、初期動作の処理が行われる。
【００７３】
（短押し点検）
なお、フローチャートによる説明を省略するが、点検結果が正常と判断されて初期動作が終了した場合、制御部４は、検知部１の検知結果に基づく監視動作を開始する。この状態で、制御部４は、操作部３に入力（短押し操作）がされたか否かを判断し、短押し操作がされれば点検動作を開始するとともに、点検結果の報知処理（図３参照）を行う。
【００７４】
点検結果の報知処理において、制御部４は、上記ステップＳ５〜Ｓ７の処理を行い、点検結果メッセージ４２と、点検結果が正常である場合の監視実行メッセージ４３とを出力させる。また、制御部４は、有効期限の残り期間を取得し、残り期限メッセージ４４を報知部２に出力させるとともに、記憶部５に記憶された報知の実施履歴に基づいて、報知履歴メッセージ４５を報知部２に出力させる。
【００７５】
（報知動作）
次に、図７を参照して、制御部４による、監視動作中の報知動作および報知音の一時停止処理について説明する。以下では、便宜的にスピーカ２１による報知音の出力について説明し、ランプ２２による報知の制御については説明を省略する。
【００７６】
ステップＳ１１において、制御部４は、検知部１の検知結果が報知条件（第１条件Ｃ１、第２条件Ｃ２）のいずれかに該当するか否かを判断する。制御部４は、いずれかの報知条件に該当する場合に処理をステップＳ１２に進め、いずれの報知条件にも該当しない場合に処理をステップＳ２３に進める。
【００７７】
ステップＳ１２において、制御部４は、報知音の一時停止中（報知停止期間中）であるか否かを判断する。制御部４は、一時停止中でない場合に処理をステップＳ１３に進め、一時停止中である場合に処理をステップＳ１９に進める。
【００７８】
ステップＳ１３において、制御部４は、操作部３への操作入力を受け付けたかを判断する。制御部４は、操作入力を受け付けていない場合、処理をステップＳ１４に進め、ステップＳ１４において、検知結果が該当した報知条件（第１条件、第２条件）に応じた報知音を出力させる。報知音の出力中であれば、制御部４は、出力を継続させる。制御部４は、ステップＳ１３で操作入力があったと判断した場合、処理をステップＳ１５に進める。
【００７９】
ステップＳ１５において、制御部４は、報知音の一時停止が可能か否かを判断する。すなわち、検知部１の検知結果が、一時停止が無効なＣＯの第１条件Ｃ１ｂに該当していた場合、制御部４は一時停止が不可能であると判断する。一時停止が可能なＣＯの第２条件Ｃ２ｂまたは燃料ガスの第１条件Ｃ１ａに該当する場合であっても、記憶部５に一時停止受付情報が記憶されている場合（報知音の一時停止を既に行っている場合）にも、制御部４は一時停止が不可能であると判断する。報知音の一時停止が不可能である場合、制御部４は、ステップＳ１４に処理を進めて報知音を出力させる。図７では簡略化しているが、ステップＳ１５を経由してステップＳ１４の処理が行われる場合、ステップＳ１５を経由しない場合と異なり、制御部４は、ユーザの操作入力に対して停止不可メッセージ５３（図４参照）を報知部２に出力させるとともに、報知音の出力を継続させる。
【００８０】
報知音の一時停止が可能な場合、制御部４は、ステップＳ１６において報知音の出力を一時停止させるとともに、報知停止期間ＳＰのカウントを開始する。そして、ステップＳ１７において、制御部４は、一時停止メッセージ５１を出力させ、ステップＳ１８において、一時停止受付情報を記憶部５に記憶させ、その後処理を終了する。
【００８１】
一方、検知部１の検知結果が報知条件に該当した場合であって、ステップＳ１２において、報知音の一時停止中である場合、制御部４は、ステップＳ１９に処理を進め、報知停止期間ＳＰが経過したか否かを判断する。報知停止期間ＳＰが経過していない場合、制御部４は、ステップＳ２０に処理を進め、報知音の出力停止を継続させる。報知停止期間ＳＰが経過した場合、制御部４は、ステップＳ２１において、報知再開メッセージ５２を報知部２に出力させ、ステップＳ２２において、報知音の一時停止を解除させ、処理を終了する。
【００８２】
また、ステップＳ１１において、検知部１の検知結果がいずれの報知条件にも該当しない場合、制御部４は、ステップＳ２３において、記憶部５に記憶された一時停止受付情報をリセットする。そして、制御部４は、ステップＳ２０において、報知中であれば報知音を停止させ、報知中でなければ報知音を停止した状態をそのまま継続させて処理を終了する。
【００８３】
（本実施形態の効果）
本実施形態では、以下のような効果を得ることができる。
【００８４】
本実施形態では、上記のように、電源投入時に初期動作を実施すると、初期動作の実施に関連する初期動作メッセージ４１が出力されるので、ユーザは、少なくとも警報器１００が初期動作中にあることを把握することができる。そのため、たとえば初期動作中に何らの音声出力もなしでランプ２２の点滅などにより警報器１００の状態を報知する場合と異なり、警報器１００が必要な動作を正常に実行していることが、初期動作メッセージ４１によって把握できる。これにより、電源投入時の警報器１００の状態をユーザが適切に把握できるようにすることができる。
【００８５】
また、本実施形態では、上記のように、制御部４が、電源投入後、第１時間ｔ１の間、ランプ２２による報知を実施させ、かつ、電源投入後、第１時間ｔ１よりも短い第２時間ｔ２経過した後に、初期動作メッセージ４１を出力させる制御を行うので、初期動作について、ランプ２２による報知開始後で、第２時間ｔ２経過後に初期動作メッセージ４１をユーザに報知することができる。すなわち、まずランプ２２によってユーザの注意を喚起した上で、初期動作メッセージ４１を伝えることができる。その結果、ユーザの予想外の動作を行うことなく、電源投入時の警報器１００の状態をユーザに把握させることができる。
【００８６】
また、本実施形態では、上記のように、初期動作が警報器本体１０の点検動作を含み、制御部４が、点検結果を示す点検結果メッセージ４２を報知部２に出力させるとともに、点検結果が正常である場合に、検知部１による監視動作を行う旨の監視実行メッセージ４３をさらに出力させる制御を行うので、点検結果を通知するだけでなく、これから警報器１００が監視動作を行うことを監視実行メッセージ４３によって通知できる。すなわち、電源投入時に初期動作メッセージ４１を出力した後、点検結果（点検結果メッセージ４２）を通知するだけでは、ユーザは、警報器１００に監視動作を行わせるために何らかの操作が必要かどうかを把握することができない。そこで、点検結果が正常である場合に監視実行メッセージ４３を出力することによって、ユーザに、警報器１００が通常の監視動作を開始したことを把握させることができるので、より適切に、警報器１００の状態をユーザに把握させることができる。
【００８７】
また、本実施形態では、上記のように、制御部４が、初期動作の終了後、操作部３への入力に応じて警報器本体１０の点検動作を行うとともに、初期動作における点検動作と同じ音声メッセージの出力制御を行うので、初期動作時に加えて、ユーザが自発的に点検動作を実施させた場合にも、初期動作と同様の点検結果メッセージ４２および（正常な場合の）監視実行メッセージ４３を出力することができる。初期動作における点検時と同じ音声メッセージが出力されることで、ユーザは警報器１００の状態を誤解無く把握できる。また、音声メッセージのパターンを不必要に増大させることが抑制できるので、警報器１００における音声メッセージの記憶容量が増大するのを抑制できる。
【００８８】
また、本実施形態では、上記のように、制御部４が、操作入力に応じて点検動作を行った場合に、警報器本体１０の有効期限の残り期間に関する残り期限メッセージ４４を出力させる制御を行うので、点検動作を行った場合に出力される残り期限メッセージ４４によって、ユーザが、警報器１００の交換時期までの残り期間を把握することができる。その結果、有効期限に関する警報器１００の状態についても、ユーザに適切に把握させることができる。
【００８９】
[変形例]
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００９０】
たとえば、上記実施形態では、報知再開メッセージ５２を報知部２に出力させる例を示したが、本発明はこれに限られない。本発明では、報知再開メッセージ５２を出力させなくてもよい。
【００９１】
また、上記実施形態では、報知音の出力再開後に、操作部３への入力に対し報知音の出力を停止させずに出力を継続させる（一時停止を受け付けない）例を示したが、本発明はこれに限られない。本発明では、報知音の出力再開後にも、一時停止の操作入力を受け付けて報知音の一時停止をしてもよい。また、一時停止の操作入力を受け付ける回数を、１回ではなく所定の複数回としてもよく、操作入力に応じた一時停止の処理を所定回数に限って実施してもよい。
【００９２】
また、上記実施形態では、一時停止メッセージ５１を出力している期間を、報知停止期間ＳＰに算入する例を示したが、本発明はこれに限られない。本発明では、一時停止メッセージ５１を出力している期間を報知停止期間ＳＰに算入しなくてもよい。
【００９３】
また、上記実施形態では、報知停止期間ＳＰ中に、検知部１の検知結果が報知条件を満たさなくなった場合に、一時停止の受け付け回数をリセットする例を示したが、本発明はこれに限られない。本発明では、一時停止の受け付け回数をリセットしなくてもよい。
【００９４】
また、上記実施形態では、ＣＯガスの検知結果が第１条件Ｃ１ｂに該当する場合に、操作部３に対する入力を受け付けても報知音を停止させずに出力させる（一時停止の処理を無効とする）例を示したが、本発明はこれに限られない。本発明では、ＣＯガスの検知結果が第１条件Ｃ１ｂに該当する場合にも、報知音の一時停止の処理を行ってもよい。
【００９５】
また、上記実施形態では、ＣＯガスの検知結果が第２条件Ｃ２ｂに該当する場合、および、燃料ガス（都市ガスまたはＬＰガス）の検知結果が第１条件Ｃ１に該当する場合に、入力操作に応じた報知音の一時停止の処理を行う例を示したが、本発明はこれに限られない。本発明では、これらの場合に、入力を受け付けても報知音を停止させずに出力させる（一時停止の処理を無効とする）ようにしてもよい。
【００９６】
また、上記実施形態では、電源投入後、第２時間ｔ２経過した後に、初期動作メッセージ４１を出力させる例を示したが、本発明はこれに限られない。本発明では、電源投入直後に、初期動作メッセージ４１を出力させてもよい。すなわち、電源投入時のランプ２２による報知と同時に、初期動作メッセージ４１を出力させてもよい。
【００９７】
また、上記実施形態では、初期動作として警報器本体１０の点検動作を行う例を示したが、本発明はこれに限られない。本発明では、初期動作として警報器本体１０の点検動作を行わなくてもよい。また、点検結果メッセージ４２を出力させなくてもよい。
【００９８】
また、上記実施形態では、点検結果が正常である場合に監視実行メッセージ４３を出力させる例を示したが、本発明はこれに限られない。本発明では、点検結果が正常である場合に監視実行メッセージ４３を出力させなくてもよい。
【００９９】
また、上記実施形態では、初期動作の終了後、操作部３への入力（短押し操作）に応じて警報器本体１０の点検動作を行うとともに、制御部４が初期動作における点検動作と同じ音声メッセージの出力制御を行う例を示したが、本発明はこれに限られない。本発明では、短押し操作による点検動作の際に、初期動作における点検動作とは異なる音声メッセージの出力を行ってもよい。
【０１００】
また、上記実施形態では、操作部３への入力操作を、短押し操作と長押し操作とに区別して、短押し操作に応じて警報器本体１０の点検動作を行う例を示したが、本発明はこれに限られない。本発明では、長押し操作に応じて警報器本体１０の点検動作を行ってもよい。また、短押し操作と長押し操作とを区別せず、操作部３への入力があった場合に警報器本体１０の点検動作を行ってもよい。
【０１０１】
また、上記実施形態では、操作部３への操作入力に応じて点検動作を行った場合に、警報器本体１０の有効期限の残り期間に関する残り期限メッセージ４４を出力させる例を示したが、本発明はこれに限られない。本発明では、残り期限メッセージ４４を出力させなくてもよい。
【０１０２】
また、上記実施形態では、説明の便宜上、制御部の処理を処理フローに沿って順番に処理を行うフロー駆動型のフローを用いて説明したが、たとえば、制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【０１０３】
また、上記実施形態において説明した各種の音声メッセージの内容の具体例は、あくまでも一例であって、上記実施形態において説明した内容には限定されない。いずれの音声メッセージも、上記実施形態において説明した内容と異なっていてもよい。
【０１０４】
たとえば、一時停止メッセージ５１について、報知停止期間ＳＰに関する情報としては、少なくとも、報知音の出力停止が一時的なもの（一時停止）であって、無期限の停止（報知の終了）ではない旨の情報を含んでいれば足り、一時停止を行う期間の長さを特定しなくてもよい。たとえば一時停止メッセージ５１は、「一定時間の間、報知を停止します」といったメッセージでもよい。
【０１０５】
また、たとえば初期動作メッセージ４１は、「緑ランプの点滅が終わるまで、しばらくお待ち下さい」という初期動作の実施を示唆するメッセージではなく、「初期動作を実施します」というように、初期動作の実施を直接的に示すメッセージとしてもよい。
【０１０６】
また、上記実施形態において例示した各種の時間（第１時間ｔ１、第２時間ｔ２、報知停止期間ＳＰ）の具体例も、あくまでも一例であって、上記実施形態において説明した内容と異なっていてもよい。
【０１０７】
また、上記実施形態では、報知部２がスピーカ２１を備える例を示したが、本発明はこれに限られない。本発明では、報知部２がスピーカ２１に代えてブザー（電子ブザー、圧電ブザー）を備えてもよい。ブザーによっても音声メッセージを出力することが可能である。
【０１０８】
また、上記実施形態では、報知音の一時停止中も、ランプ２２による報知（点灯または点滅）は継続させる例を示したが、本発明はこれに限られない。本発明では、報知音の一時停止中に、ランプ２２による報知も一時停止（すなわち、ランプ２２を消灯）させてもよい。
【０１０９】
また、上記実施形態では、操作部３への入力が行われた場合に停止不可メッセージ５３を出力する例を示したが、本発明はこれに限られない。本発明では、停止不可メッセージ５３を出力しないように警報器を構成してもよい。また、報知音の出力時に操作部３への１度目の入力が行われた場合には停止不可メッセージ５３を出力し、その後、２回目以降の入力時には停止不可メッセージ５３を出力しないように警報器を構成してもよい。さらに、報知音の出力時に該当した報知条件の種類（第１条件Ｃ１ａ、Ｃ１ｂ、第２条件Ｃ２ａ、Ｃ２ｂのいずれか）に応じて、停止不可メッセージ５３を出力するか否かを別々に設定してもよい。
【０１１０】
具体例として、図７においてステップＳ１３、Ｓ１５を経由してステップＳ１４の処理が行われる場合に、たとえばＣＯガスの第１条件Ｃ１ｂに該当する場合には、操作部３への１度目の入力が行われた場合にはステップＳ１４で停止不可メッセージ５３が出力され、その後、２回目以降の入力時にはステップＳ１４で停止不可メッセージ５３が出力されない。一方、燃料ガス（都市ガスまたはＬＰガス）の第１条件Ｃ１ａに該当する場合には、操作部３への入力を受け付けてもステップＳ１４では停止不可メッセージ５３が出力されない。このように警報器が構成されていてもよい。
【０１１１】
また、上記実施形態では、報知条件の第１条件Ｃ１が、下限値として第２条件Ｃ２の上限濃度、上限値として第１条件Ｃ１の上限濃度を含み、第２条件Ｃ２が、下限値として第２条件Ｃ２の下限濃度、上限値として第２条件Ｃ２の上限濃度を含むように、各条件が上限値および下限値により設定された例を示したが、本発明はこれに限られない。本発明では、報知条件（第１条件、第２条件）は、単一の閾値のみを含むように設定されてもよく、設定された閾値を上回った場合に報知条件が満たされるものとしてよい。
【０１１２】
また、上記実施形態では、報知条件が警報レベルの第１条件Ｃ１と注意レベルの第２条件Ｃ２との２段階を含む例を示したが、本発明はこれに限られない。本発明では、報知条件として、１段階のみ（第１条件のみ）が設定されていてもよい。また、報知条件として、３段階以上の条件が設定されていてもよい。
【符号の説明】
【０１１３】
１  検知部
２  報知部
３  操作部
４  制御部
１０  警報器本体
２１  スピーカ
２２  ランプ
４１  初期動作メッセージ（第１音声メッセージ）
４２  点検結果メッセージ（第２音声メッセージ）
４３  監視実行メッセージ（第３音声メッセージ）
４４  残り期限メッセージ（第４音声メッセージ）
１００  警報器
ｔ１  第１時間（第２時間）
ｔ２  第２時間（第１時間）
【図１】
2020087402.tif 000003
【図２】
2020087402.tif 000004
【図３】
2020087402.tif 000005
【図４】
2020087402.tif 000006
【図５】
2020087402.tif 000007
【図６】
2020087402.tif 000008
【図７】
2020087402.tif 000009